(57)【特許請求の範囲】
【請求項１】
単位ピースを組み付けることによって立体形状物を作成可能な組み付け玩具において、
前記単位ピースは、
内側に湾曲した上下一対の短辺と、内側に湾曲した左右一対の長辺とによって外郭を形成した可撓性材料の板体であって、
前記板体の内部に、前記外郭のうち少なくとも前記長辺に略倣ったひょうたん形の開口を開設した枠状に形成し、
前記ひょうたん形の開口は、前記ひょうたん形の開口と前記上下一対の短辺との間、及び前記開口と前記左右一対の長辺との間に、上下の枠部、及び左右の枠部をそれぞれ残存するように、開設されており、
前記板体の一方の対角線上に位置する隅部に該板体の板面に直角に突起を設けるとともに、該板体の他方の対角線上に位置する隅部に前記突起が嵌合可能な貫通穴を設けた
ことを特徴とする組み付け玩具。
【請求項２】
前記上下の枠部は、前記板体の幅方向中央部で最も狭まった帯状に形成され、前記左右の枠部は、前記左右の長辺に倣った帯状に形成されていることを特徴とする請求項１に記載の組み付け玩具。
【請求項３】
前記隅部が略円形の外郭を有するように形成されたことを特徴とする請求項１又は２記載の組み付け玩具。
【請求項４】
前記突起は頭部が前記貫通穴から露出する長さを有し、該頭部が半径方向外方に膨出していることを特徴とする請求項１乃至３のいずれか１項に記載の組み付け玩具。
【請求項５】
前記板体の周縁は、円弧状の断面に形成されていることを特徴とする請求項１乃至４のいずれか１項に記載の組み付け玩具。
【請求項６】
請求項１乃至５のいずれか１項に記載の前記単位ピースを、その長手方向若しくは幅方向への湾曲形成、折り曲げ形成、及び長手方向若しくは幅方向の軸周りのねじり形成、前記単位ピースの前記ひょうたん形の開口への前記単位ピースの前記短辺の潜らせ組み付けによって立体形状物を作成可能としたことを特徴とする組み付け玩具。
【発明の詳細な説明】
【技術分野】
【０００１】
本発明は、単位ピースを創意工夫しながら組み付けることによって、平面だけでなく、各種の立体形状物を作成することができ、子供が楽しみながら造形の創造能力を養うのに好適な組み付け玩具に関する。
【背景技術】
【０００２】
従来より、一種あるいは複数種のブロック同士を凹部と凸部等を利用して組み付けることによって、多角形体や容器、船舶、城、家屋或いは壁面等の立体形状物を作成することができるブロック玩具が知られている。
【０００３】
このブロック玩具によれば、子供が楽しみながら造形の創造能力を養ったりすることができるが、ブロックの組み付けであっては曲面が作りづらく、作成できる立体形状物は、主として平面を組み合わせた割合単純なものに限られる欠点があった。
【０００４】
一方、立体形状物の表現力を向上させた組み付け玩具として、複数種の正多角形の一辺の長さを辺の数に関係なく同長とし、各辺の中央に突片を突設し、突片の付け根に該突片が挿入可能なスリットを設けた金属板製ピースを用いるものが提案されている（例えば特許文献１を参照）。
【０００５】
この組み付け玩具によれば、２つのピースの一面同士を辺で突き合わせ、その一方のピースの辺の突片を他方のピースの辺のスリットに挿入して、突片の先端部分を折り曲げれば、２つのピースを突き合わせた辺で組み付けることができ、しかも２つのピースの面同士の間の角度を任意に変化できるので、面を連ねることによって曲面が表現でき、複数種、例えば正三角形、正四角形、正六角形のピースを使用することで、サッカーボール等の球体を作成することができる。
【特許文献１】実開昭５６−９７６９６号公報（図１）
【発明の開示】
【発明が解決しようとする課題】
【０００６】
しかしながら、上記提案の組み付け玩具は、ピースが剛体板からなるので、ピースをひねったり湾曲させて他のピースと組み付ける等の、複雑な組み付けは全く不可能であり、立体形状物の表現力が未だ低い問題があった。
【０００７】
したがって、本発明の目的は、ピースをひねったり湾曲させて他のピースと組み付ける等の、ピースの複雑な態様の組み付けが可能で、立体形状物の高い表現力を得ることができる構造簡単な組み付け玩具を提供することである。
【０００８】
本発明の他の目的は、一つのピース内に他のピースを潜らせて、他のピースを前記一つのピース又はさらに他の一つのピースと連結することができる等と、より複雑な態様の組み付けが可能で、立体形状物の表現力をより一段と高くすることができる構造簡単な組み付け玩具を提供することである。
【課題を解決するための手段】
【０００９】
上記目的を達成するために、第１の発明は、単位ピースを組み付けることによって立体形状物を作成可能な組み付け玩具において、前記単位ピースは、内側に湾曲した上下一対の短辺と、内側に湾曲した左右一対の長辺とによって外郭を形成した可撓性材料の板体であって、前記板体の内部に、前記外郭のうち少なくとも前記長辺に略倣ったひょうたん形の開口を開設した枠状に形成し、前記ひょうたん形の開口は、前記ひょうたん形の開口と前記上下一対の短辺との間、及び前記開口と前記左右一対の長辺との間に、上下の枠部、及び左右の枠部をそれぞれ残存するように、開設されており、前記板体の一方の対角線上に位置する隅部に該板体の板面に直角に突起を設けるとともに、該板体の他方の対角線上に位置する隅部に前記突起が嵌合可能な貫通穴を設けたことを特徴とする。
【００１０】
第１の発明によれば、単位ピースを、左右上下の長短の辺が内側に湾曲した外郭を有する可撓性材料の板材から構成したので、ピースを長手方向に湾曲させたり、折り曲げたり、ピースを長手方向若しくは幅方向の軸の周りにねじったり、ピースを幅方向に湾曲させたり、折り曲げたり等、ピースを種々に変形可能であり、複数個のピース１を組み付けることにより容易に２次元から３次元に展開して立体形状物を作成することができる。これにより、単位ピースを創意工夫しながら組み付けることによって、球体、動物、昆虫、花瓶等、あるいはタペストリ等といった平面状の立体形状物を含む多種多様な立体形状物を作成することができ、子供が楽しみながら造形の創造能力を養うことができばかりでなく、大人も楽しむことができる。また単位ピースは形状がシンプルで構造簡単であり、組み付け玩具は、その単位ピース１種類からなるので構成が簡便である。
【００１２】
また、ピースの短辺側を開口内に潜らせたり、一つのピース内に他のピースを潜らせて、他のピースを前記一つのピース又はさらに他の一つのピースと連結することができる等と、より複雑な態様の組み付けが可能となり、立体形状物の表現力をより一段と高くすることができる。
第２の発明は、第１の発明において、前記上下の枠部は、前記板体の幅方向中央部で最も狭まった帯状に形成され、前記左右の枠部は、前記左右の長辺に倣った帯状に形成されていることを特徴とする。
【００１３】
第３の発明は、第１又は第２の発明において、前記隅部が略円形の外郭を有するように形成されたことを特徴とする。
【００１４】
これにより、単位ピースの円滑な組み付けが可能となる。
【００１５】
第４の発明は、第１乃至第３の発明のいずれかにおいて、前記突起は頭部が前記貫通穴から露出する長さを有し、該頭部が半径方向外方に膨出していることを特徴とする。
【００１６】
これにより、ピース同士を突起と貫通穴との嵌合で連結したときに、貫通穴からの突起の外れを頭部の引っ掛かりにより防止して、ピース同士を堅固に組み付けることができる。
【００１７】
第５の発明は、第１乃至第４の発明のいずれかにおいて、前記板体の周縁は、円弧状の断面に形成されていることを特徴とする。
【００１８】
第６の発明は、第１乃至５の発明のいずれかに記載の前記単位ピースを、その長手方向若しくは幅方向への湾曲形成、折り曲げ形成、及び長手方向若しくは幅方向の軸周りのねじり形成、前記単位ピースの前記ひょうたん形の開口への前記単位ピースの前記短辺の潜らせ組み付けによって立体形状物を作成可能としたことを特徴とする組み付け玩具にある。
これにより、高い表現力、想像力を育む、組み付け玩具を提供することができる。
【発明の効果】
【００１９】
本発明によれば、ピースをひねったり湾曲させたり、ピース内に他のピースを潜らせたりする等により、単に並べて連結するだけでなく、ピースの複雑な形態の連結が可能で、簡単な構造でありながら立体形状物を構成でき、高い表現力、想像力を育む、組み付け玩具を提供することができる。
【発明を実施するための最良の形態】
【００２０】
以下、本発明の組み付け玩具の一実施形態について、図面を参照して詳細に説明する。図１は本発明の組み付け玩具の一実施形態における単位ピースを示す図であり、（ａ）は平面図、（ｂ）は右側面図、（ｃ）は下面図である。
【００２１】
本発明の組み付け玩具は、図１に示すような単位ピース１同士を組み付けて立体形状物を作成するように使用される。
【００２２】
本実施形態において、単位ピース１は、内側に湾曲した上下一対の短辺３と、内側に湾曲した左右一対の長辺４とによって形成された外郭５を有する可撓性材料の板体２からなっており、ひねったり湾曲することができる性質が付与されている。このピース１のひねり性や湾曲性をより高くするとともに、ピース１内に他のピースを潜らせたりする等ができるようにするために、板体２の内部に外郭５に略倣ったひょうたん形の開口６を開設して、板体２を枠状の板体に形成している。この開口６は、該開口６と上下の短辺３との間及び左右の長辺４との間にそれぞれ枠部２ａ及び２ｂが残存するように開設されており、上下の枠部２ａは、板体２の幅方向中央部で最も狭まった帯状に形成され、左右の枠部２ｂは、左右の長辺４に倣った帯状に形成されている。
【００２３】
上記板体２の四隅は、板体２の対角線方向外方に膨出して、短辺３及び長辺４に連続した略円形の外郭５ａを有する隅部７に形成されている。この板体２の一方の対角線上に位置する隅部７には、図２（ａ）に図１（ａ）のＡ−Ａ断面を示すように、該板体２の板面に直角に円筒状の突起８が設けられ、板体２の他方の対角線上に位置する隅部７には、図２（ｂ）に図１（ａ）のＢ−Ｂ断面を示すように、該突起８が嵌合可能な円筒状の貫通穴９が設けられている。突起８は、好ましくは貫通穴９から突出する長さを有し、突起８の頭部８ａは半径方向外方に膨出されている。これにより、２個のピース１を突起８と貫通穴９との嵌合で連結したときに、貫通穴９からの突起８の外れを頭部８ａの引っ掛かりにより防止して、２個のピース１を堅固に組み付けることができる。
【００２４】
本単位ピース１の諸元の一例を示すと、ピース１の板厚は１．５ｍｍで、ピース１の幅は左右の隅部７の間で３６．６ｍｍ、長手方向中央部で１２．５ｍｍであり、ピース１の長さは上下の隅部７の間で６６．６ｍｍ、幅方向中央部で５４．２ｍｍである。またピース１の短辺３の曲率半径は１７．９ｍｍ、長辺４の曲率半径は３９．１ｍｍである。ピース１の開口６の幅は長手方向中央部で５．７ｍｍ、長さは幅方向中央で４８．２ｍｍであり、開口６の曲率半径は長辺４に沿う縁部で４２．１ｍｍ、短辺３に対向する縁部で６．３ｍｍである。ピース１の突起８の直径は３．３ｍｍ、頭部８ａまでの長さは２．４ｍｍで、頭部８ａの直径は３．６ｍｍ、長さは０．８ｍｍであり、貫通穴９の直径は３．３ｍｍ、長さは１．５ｍｍ（板厚に同じ）である。もちろん、この大きさに限られるものではなく、大小のピースを組み合わせることにより、さらに多様な組み合わせが可能である。ピース１の材料としては、ポリマー、エラストマー等の柔軟性のあるプラスチックが使用され、本実施形態では、軟質ポリエチレンでピース１を作製した。
【００２５】
本実施形態の組み付け玩具は、単色の単位ピース１あるいは赤、青、黄色、緑等の複数色の単位ピース１を備える。そしてその単位ピース１を、左右上下の長短の辺が内側に湾曲した外郭５を有する可撓性材料の板材２から構成し、さらに板材２の内部に外郭５に略倣ったひょうたん形の開口６を開設したので、ピース１を長手方向に湾曲させたり、折り曲げたり、ピース１の短辺３側を開口６内に潜らせたり、ピース１を長手方向若しくは幅方向の軸の周りにねじったり、ピース１を幅方向に湾曲させたり、折り曲げたり等、ピース１を種々に変形可能であり、複数個のピース１を組み付けることにより容易に２次元から３次元に展開して立体形状物を作成することができ、球面などの曲面形状物は言うに及ばず、ありとあらゆる形状の立体形状物の作成が可能である。
【００２６】
例えば、１個のピース１の変形について幾つかの例を示せば、図３（ａ）に矢印Ａで示すように、ピース１の開口６内に一方の短辺３の側を長手方向に挿入して開口６に潜らせ、潜らせた短辺３側を元の方向に引き出して、ピース１をねじることができる(例１)。
【００２７】
上記例１において、ピース１の開口６に潜らせた一方の短辺３の側を元の方向に引き出さずに他方の短辺３側に湾曲して対向させ、一方の短辺３の突起８及び貫通穴９を他方の短辺３の貫通穴９及び突起８に嵌合させることができる (例２)。これにより得られる立体形状物を図４（ｂ）に示す。
【００２８】
図３（ａ）に矢印Ｂで示すように、ピース１を長手方向に湾曲して短辺３同士を対向させ、一方の短辺３の突起８及び貫通穴９を他方の短辺３の貫通穴９及び突起８に嵌合することができる(例３)。
【００２９】
上記例３において対向した一方の短辺３の隅部７をひねって該一方の短辺３の突起８及び貫通穴９他方の短辺３の貫通穴９及び突起８に嵌合することができる(例４)。
【００３０】
図３(ｃ)に矢印Ｃで示すように、ピース１を幅方向に湾曲して長辺４同士を対向させ、一方の長辺３の突起８及び貫通穴９を他方の長辺３の貫通穴９及び突起８に嵌合することができる(例５)。
【００３１】
上記例５において対向した一方の長辺４の隅部４をひねって、該一方の長辺４の突起８及び貫通穴９を他方の長辺４の貫通穴９及び突起８に嵌合することができる(例６)。これにより得られる立体形状物を図４(ａ)に示す。
【００３２】
ピース１の一方の短辺３側が裏側になるように長手方向軸線の周りにひねってから、ピース１を対角線方向に折り曲げて一方の短辺３の突起８を他方の短辺３の貫通穴９に嵌合することができる(例７)。
【００３３】
ピース１を対角線方向に湾曲させることにより、一方の短辺３側の突起８と他方の短辺３側の突起８とを互いに外向き又は内向きに対向させた態様のひねりができる(例８)。このようにひねられたピース１に対して第２、第３のピース１を用い、第１のピース１の一方の短辺３側の突起８と他方の短辺３側の貫通穴９とに第２のピース１の一方の短辺３側の貫通穴９と突起８を嵌合し、第１のピース１の一方の短辺３側の突起８と他方の短辺３側の貫通穴９とに第３のピース１の一方の短辺３側の貫通穴９と突起８を嵌合することによって、第１のピース１のひねり形状を略保存した立体形状物を形成することができる。この立体形状物を図４(ｅ）に示す。図４(ｅ)において、ピース１Ｃは第１のピース、１Ａ，１Ｂはそれぞれ第２、第３のピースを示す。
【００３４】
上記例８のひねりの状態のピース１に対し、そのピース１の一方の短辺３側の突起８と他方の短辺３側の突起８とを対向位置から離反方向に開いた態様のひねりとすることができる（例９）。このようにひねられたピース１に対して第２、第３のピース１を用い、第１のピース１の一方の短辺３側の突起８に第２のピース１の一方の短辺３側の貫通穴９を嵌合し、第１のピース１の他方の短辺３側の突起８に第３のピース１の一方の短辺３側の貫通穴９を嵌合し、さらに第２、第３のピース１の他方の短辺３側の突起８と貫通穴９とを嵌合することによって、第１のピース１のひねり形状を略保存した立体形状物を形成することができる。
【００３５】
ピース１同士の組み付けの例の幾つかをあげれば次の通りである。なお説明の便宜上、図３（ｂ）では、複数のピース１をピース１Ａ，１Ｂ，・・・のように表示する。
【００３６】
図３（ｂ）において、ピース１Ａの開口６に長手方向にピース１Ｂを潜らす。突起８の向きは、ピース１Ａ，１Ｂとで突起８が同一方に突出していても、互いに離反方向に突出していてもよい(例１０)。これにより得られる立体形状物を図４(ｃ)に示す。
【００３７】
ピース１Ａの開口６にピース１Ｂを直角方向に潜らせ、各ピース１Ａ，１Ｂについて上記例３の結合を行う(例１１)。これにより得られる立体形状物を図４(ｄ)に示す。
【００３８】
ピース１Ａ，１Ｂについて上記例２の操作に準じ、ピース１の開口６に一方の短辺３側を潜らせて他方の短辺３側に湾曲した後、各ピース１内で一方の短辺３の突起８及び貫通穴９を他方の短辺３の貫通穴９及び突起８に嵌合せずに、互いに他方のピース１との間で一方の短辺３の突起８及び貫通穴９を他方の短辺３の貫通穴９及び突起８に嵌合させる(例１２)。
【００３９】
ピース１Ａと１Ｂとを長手方向に並べ、対向したピース１Ａ，１Ｂの短辺３の隅部７が左右で互い違いになるように重ね合わせて、一方のピース１Ａの短辺３の突起８及び貫通穴９と他方のピース１Ｂの短辺３の突起８及び貫通穴９とを嵌合させて、ピース１Ａと１Ｂとを長手方向に連結する。これをピース１Ｃ以下について繰り返すことにより、ピース１Ａ，１Ｂ，１Ｃ，・・・を長手方向に連結した長尺物が得られる(例１３)。
【００４０】
同様にピース１Ａと１Ｂとを幅方向に並べ、対向したピース１Ａ，１Ｂの長辺４の隅部７が上下で互い違いになるように重ね合わせて、一方のピース１Ａの長辺４の突起８及び貫通穴９と他方のピース１Ｂの長辺４の突起８及び貫通穴９とを嵌合させて、ピース１Ａと１Ｂとを幅方向に連結し、これをピース１Ｃ以下について繰り返すことにより、ピース１Ａ，１Ｂ，１Ｃ，・・・を幅方向に連結した長尺物が得られる(例１４)。
【００４１】
ピース１Ａの一方の短辺３の突起８とピース１Ｂの一方の短辺３の貫通穴９とを嵌合して連結し、これをピース１Ｃ以下について繰り返して、５個のピース１を一方の短辺３側で環状に連結する。これを１組として、ピース５個の環状物を複数組組み付けると、サッカーボール状の球体が得られる(例１５)。その球体を図５に示す。
【００４２】
ピース１Ｂの表側に位置させたピース１Ａの一方の短辺３の突起８と、ピース１Ｂの裏側に位置させたピース１Ｃの一方の短辺３の貫通穴９とをピース１Ｂの開口６内の一方の短辺３寄りの位置で嵌合して連結し、これを第４のピース以下について繰り返して、６個のピース１を一方の短辺３側で環状に連結すると、曲面の作成に利用できる連結物が得られる(例１６)。
【００４３】
４個のピース１を一方の長辺４側で連結して、これを第１の連結物の１組とし、この第１の連結物の長辺４を共有するようにして、第１の連結物の組み同士を縦方向及び周方向に繰り返して円筒状に組み付けるとともに、別の４個のピース１を第１の連結物のピース１の開口６内に横方向に挿入するようにして、別の４個のピース１を一方の短辺３側で連結して、この第２の連結物の組み同士を縦方向及び横方向に繰り返して、第２の連結物で第１の連結物の円筒の隙間を埋めるように円筒状に組み付けると、円筒状の花瓶が得られる(例１７)。
【００４４】
以上のように、本実施形態の組み付け玩具は、単位ピース１の組み付けによって多種多様な立体形状物が作成可能である。
【００４５】
図４に、本実施形態の組み付け玩具による立体形状物の例を示す。(ａ)は上記した例６、（ｂ）は例２、(ｃ)は例１０、（ｄ）は例１２、（ｅ）は例８の立体形状物である。
【００４６】
図５に、本実施形態の組み付け玩具による立体形状物の例を示す。この球体は、上記例１５の立体形状物である。
【００４７】
図６に、本実施形態の組み付け玩具による立体形状物のさらに他の例を示す。この立体形状物は、７個の単位ピース１で馬を構成している。
【００４８】
以上、本発明の組み付け玩具の実施形態を立体形状物の作例を幾つかあげて説明したが、本発明の組み付け玩具は、単位ピースを、左右上下の長短の辺が内側に湾曲した外郭を有する可撓性材料の板材から構成したので、ピースを長手方向に湾曲させたり、折り曲げたり、ピースを長手方向若しくは幅方向の軸の周りにねじったり、ピースを幅方向に湾曲させたり、折り曲げたり等、ピースを種々に変形可能であり、複数個のピース１を組み付けることにより容易に２次元から３次元に展開して立体形状物を作成することができる。これにより、単位ピースを創意工夫しながら組み付けることによって、球体、動物、昆虫、花瓶等、あるいはタペストリ等といった平面状の立体形状物を含む多種多様な立体形状物を作成することができ、子供が楽しみながら造形の創造能力を養うことができばかりでなく、例えばピースを組み合わせてアクセサリなどの装飾品にも利用することができるので、大人も楽しむことができる。
【００４９】
特に板材の内部に外郭に略倣ったひょうたん形の開口を開設した場合には、ピースの短辺側を開口内に潜らせたり、一つのピース内に他のピースを潜らせて、他のピースを前記一つのピース又はさらに他の一つのピースと連結するといったより複雑な態様の組み付けが可能となり、立体形状物の表現力をより一段と高くすることができる。
【００５０】
また単位ピースの形状がシンプルで構造簡単であり、組み付け玩具は、その単位ピース１種類からなるので構成が簡便である。更には同形状の大小のピースを組み合わせることで、より多様な立体形状物を構成することができる。
【図面の簡単な説明】
【００５１】
【図１】本発明の組み付け玩具の一実施形態に係る単位ピースを示す平面図(ａ)、右側面図(ｂ)及び底面図(ｃ)である。
【図２】図１（ａ）のＡ−Ａ断面図(ａ)及びＢ−Ｂ断面図(ｂ)である。
【図３】図１の単位ピースの変形及び連結法を説明する斜視図である。
【図４】図１の単位ピースによる立体形状物の幾つかの例を示す斜視図である。
【図５】図１の単位ピースによる球体の作成例を示す斜視図である。
【図６】図１の単位ピースによる馬の作成例を示す斜視図である。
【符号の説明】
【００５２】
１          単位ピース
２          枠状の板体
２ａ，２ｂ  枠部
３          短辺
４          長辺
５          外郭
６          開口
７          隅部
８          突起
９          貫通穴
【図１】
0004378661.tif 000002
【図２】
0004378661.tif 000003
【図３】
0004378661.tif 000004
【図４】
0004378661.tif 000005
【図５】
0004378661.tif 000006
【図６】
0004378661.tif 000007